【事件の表示】
　特願２０００−３８１６９５「情報提供装置、情報提供方法、遠隔制御装置、遠隔制御方法、遠隔制御装置のプログラム及び遠隔制御装置のプログラムを記録した記録媒体」拒絶査定不服審判事件〔平成１４年　６月２６日出願公開、特開２００２−１８２６６６〕について、次のとおり審決する。
【結　論】
　本件審判の請求は、成り立たない。
【理　由】
第１　手続の経緯
　
　本願は、平成１２年１２月１１日の出願であって、平成２１年１１月１６日付け拒絶理由通知に対して平成２２年１月１９日付けで手続補正書が提出されたが、平成２２年８月２０日付けで拒絶査定がなされ、これに対して平成２２年１１月２２日に拒絶査定に対する審判請求がなされるとともに、同日付けで手続補正がなされたものである。
　
第２　平成２２年１１月２２日付けの手続補正についての補正の却下の決定
　
［補正の却下の決定の結論］
　
　平成２２年１１月２２日付けの手続補正を却下する。
［理由］
　
１．補正後の本願発明
　当該手続補正（以下、「本件補正」という。）による補正後の特許請求の範囲の請求項１は、次のとおりのものである。
　
【請求項１】
　所定のコンテンツ再生装置を遠隔制御する遠隔制御装置において、
　前記コンテンツ再生装置で再生可能な各コンテンツについて、所定のデータ提供手段より、少なくとも前記コンテンツを紹介する紹介のデータと、各コンテンツの再生を指示する遠隔制御において各コンテンツを特定するコンテンツ特定用データとを取得するデータ取得手段と、
　前記紹介のデータ及び前記コンテンツ特定用データを記録して保持するデータ記録手段と、
　前記データ記録手段に記録した前記紹介のデータに基づいて、前記コンテンツ再生装置で再生可能な前記コンテンツの一覧を表示する表示手段と、
　前記表示手段の表示における選択により、所望するコンテンツの選択を受け付けるコンテンツ選択手段と、
　前記コンテンツ選択手段による選択に応じて、対応する前記コンテンツ特定用データにより前記コンテンツ再生装置に遠隔制御信号を送出する遠隔制御手段と
　を備え、
　前記紹介のデータ及び前記コンテンツ特定用データは、
　前記所定のデータ提供手段において、コンテンツの選択に役立つデータから必要な各データを抜き出し、前記コンテンツ特定用データを付加して所定フォーマットによりファイル化することによって作成されることを特徴とする遠隔制御装置。
（以下、「本願補正後発明」とする。）
　
　上記補正は、補正前の請求項に記載した発明を特定するために必要な事項である「前記紹介のデータ及び前記コンテンツ特定用データ」について、「前記所定のデータ提供手段において、コンテンツの選択に役立つデータから必要な各データを抜き出し、前記コンテンツ特定用データを付加して所定フォーマットによりファイル化することによって作成される」の記載を追加してその内容を限定するものであって、特許法第１７条の２第４項第２号（平成１８年法律第５５号改正附則第３条第１項によりなお従前の例によるとされる同法による改正前の特許法第１７条の２第４項第２号）の特許請求の範囲の減縮に該当する。
　
　そこで、本願補正後発明が特許出願の際独立して特許を受けることができたものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
２．公知刊行物の記載
　
　原査定の拒絶の理由で引用された刊行物１（特開２０００−１８１４６４号公報）には、対応する図面と共に、以下の内容が記載されている。
　なお、下線は当審において付した。
　
（ア）「【０００１】
【発明の属する技術分野】この発明は通信カラオケシステムに関し、特に通信カラオケシステムが管理しているカラオケ関連の情報を携帯電話機により利用者が簡便かつ有効に活用できるようにする技術に関する。」
　
（イ）「【０００８】
【課題を解決するための手段】この目的を達成するための本発明の第１の請求項に記載の発明は、つぎの事項（１）〜（６）により構成される。
（１）
通信カラオケシステムの事業者が運営するホスト装置と、所定の通信手段により前記ホスト装置に接続するＷＷＷサーバと、通信網を介して前記ホスト装置と接続する多数のカラオケ演奏端末と、パケット通信によるインターネット接続機能を備えたカラオケ利用者が所持する携帯電話機とによって構成される通信カラオケ応用システムである。
（２）
前記ホスト装置には、カラオケ伴奏音楽の起源となる伴奏音楽データおよび歌詞映像の起源となる歌詞描出データとを含む各楽曲ＩＤごとに用意されたカラオケデータと、楽曲ＩＤごとの楽曲名、歌手名、作曲者名などを記載した楽曲説明データとがある。
（３）前記カラオケ演奏端末には、演奏したカラオケ楽曲の楽曲ＩＤ・演奏日時・ゲームの採点結果・そのカラオケ楽曲を歌唱した利用者の個人ＩＤなどを記録した演奏履歴データがある。ホスト装置は前記通信網を介して適宜各カラオケ演奏端末の演奏履歴データを集信する。
（４）前記携帯電話機は、電話番号などの入力手段と、文字列などの表示手段と、利用者が入力したリクエスト曲の楽曲ＩＤを含んだ無線のリクエスト信号をカラオケ演奏端末に向けて送出する楽曲予約手段とを備える。前記リクエスト信号には携帯電話機内の所定の記憶手段に登録されている個人ＩＤが付帯する。
（５）
ホスト装置は、カラオケデータ、演奏履歴データ、楽曲説明データや、これらの各データの全部または一部を加工・編集したデータなどからなるカラオケ関連データを前記ＷＷＷサーバに伝達する。
（６）前記携帯電話機は利用者の操作入力に応答し、インターネットを介して前記ＷＷＷサーバに前記ＷＷＷコンテンツの要求信号を送出する。ＷＷＷサーバは前記要求信号に対応する応答情報を作成し、これを前記携帯電話機に向けて送出する。
【０００９】また、本発明の第２の請求項に記載の発明は、請求項１に記載の通信カラオケ応用システムであって、さらにつぎの（２１）〜（２４）の事項を備えて構成される。
（２１）前記ＷＷＷコンテンツに前記演奏履歴データの検索機能が含まれる。
（２２）前記携帯電話機は前記要求信号として演奏履歴データの検索条件を送出する。前記要求信号には前記携帯電話機の個人ＩＤが含まれる。
（２３）
前記ＷＷＷサーバは、前記検索条件に該当するデータを前記演奏履歴データから選出し、選出した各データ中の楽曲ＩＤに対応するタイトル名を楽曲説明データから検索し、検索した各タイトル名を所定の規則で並べた一覧リストを前記応答情報として携帯電話機に送出する。前記一覧リスト中の各タイトル名には楽曲ＩＤが付帯する。
（２４）
前記携帯電話機は前記一覧リストを受領して、これを前記表示手段に表示し、その表示中から利用者が所定の操作入力により特定したタイトル名に付帯する楽曲ＩＤを前記リクエスト信号に含めて送出する。
　
（ウ）「【００２０】ホスト装置Ｈは、前記演奏履歴データＤｒから個人ＩＤが記載されている演奏履歴データを抽出する。さらに、抽出した各演奏履歴データ中の各楽曲ＩＤに対応する楽曲名、歌手名、作曲者名を前記楽曲説明データＤｓから検索し、これを各演奏履歴データＤｒに付帯させた個人別目次データＤｍを作成する。
【００２１】ホスト装置Ｈは、この個人別目次データＤｍと、前述したカラオケデータＤｋ、演奏履歴データＤｒ、楽曲説明データＤｓ、個人データＤｐ、事業者提供データＤｊを含んだカラオケ関連データをＬＡＮを介して適宜ＷＷＷサーバＳに送出する。」
　
（エ）「【００３２】１．マイ目次本
前記機能選択メニュー画面から利用者が「マイ目次本」を選択すると、携帯電話機Ｋは液晶ディスプレイ５に図８（ｂ）に示すマイ目次本のメニュー画面を表示する。このメニュー画面には［最近歌った曲］、［採点ベスト曲］、［おすすめ曲］、［曲名から検索］、［歌手名から検索］の５つの選択項目が用意されている。携帯電話機Ｋは、利用者が選んだ選択項目のＩＤと当該携帯電話機Ｋに登録されている個人ＩＤ、また、［曲名から検索］および［歌手名から検索］の場合にはさらに利用者の入力した文字列とを含んだ検索要求信号をインターネットＮｉを介してＷＷＷサーバＳに送信する。ＷＷＷサーバＳは検索要求信号を受領して前記各選択項目に応じて以下の各処理を実行する。
【００３３】［最近歌った曲］…ＷＷＷサーバＳは、受領した検索要求信号に含まれる個人ＩＤに対応するデータを個人別目次データＤｍから抽出する。ＷＷＷサーバＳは、抽出したデータの各楽曲ＩＤに対応するタイトル名・歌手名を楽曲説明データＤｓから検索しこれを各データ中に記述されている演奏日付の新しい順に並べかえた一覧リストを作成する。これをインターネットＮｉを介して前記携帯電話機Ｋに送出する。なお、一覧リスト中の各カラオケ楽曲には楽曲ＩＤが付帯する。」
　
（オ）「【００３８】一方、携帯電話機Ｋは、図８（ｃ）に示すように以上のいずれかの手順によりＷＷＷサーバＳから送出されてくる一覧リストを液晶ディスプレイ５に表示する。携帯電話機Ｋは、利用者が所定の操作入力により一覧表示されたタイトル中からリクエストしたい楽曲を選択すると、選択されたカラオケ楽曲の楽曲ＩＤを一時記憶するとともに図８（ｄ）に示す処理指定画面を表示する。この処理指定画面において利用者が「１．予約」を選択すると、携帯電話機Ｋは図８（ｅ）に示す画面を表示するとともに一時記憶しておいた楽曲ＩＤを含んだＩｒＤＡ信号を送出する。」
　
　これら（ア）〜（オ）の記載及び図面の内容を総合すると、引用刊行物１には、次の（カ）なる発明が記載されていると認められる。
　以下、これを「引用発明」と記す。
　
［引用発明］
（カ）通信カラオケシステムの事業者が運営するホスト装置と、所定の通信手段により前記ホスト装置に接続するＷＷＷサーバと、通信網を介して前記ホスト装置と接続する多数のカラオケ演奏端末と、パケット通信によるインターネット接続機能を備えたカラオケ利用者が所持する携帯電話機とによって構成される通信カラオケ応用システムにおいて、
　前記ホスト装置には、カラオケ伴奏音楽の起源となる伴奏音楽データおよび歌詞映像の起源となる歌詞描出データとを含む各楽曲ＩＤごとに用意されたカラオケデータと、楽曲ＩＤごとの楽曲名、歌手名、作曲者名などを記載した楽曲説明データとがあり、
　前記ホスト装置は、カラオケデータ、演奏履歴データ、楽曲説明データや、これらの各データの全部または一部を加工・編集したデータなどからなるカラオケ関連データを前記ＷＷＷサーバに伝達し、
　前記ＷＷＷサーバは、検索条件に該当するデータを演奏履歴データから選出し、選出した各データ中の楽曲ＩＤに対応するタイトル名を楽曲説明データから検索し、検索した楽曲ＩＤが付帯した各タイトル名を所定の規則で並べた一覧リストを応答情報として携帯電話機に送出し、
　前記携帯電話機は前記一覧リストを受領して、これを表示手段に表示し、その表示中から利用者が所定の操作入力により特定したタイトル名と楽曲ＩＤを含んだ無線のリクエスト信号をカラオケ演奏端末に向けて送出する携帯電話機。
　
３．対比
　
　本願補正後発明と当該引用発明（カ）とを対比する。
　
　引用発明は「携帯電話機」から無線のリクエスト信号を「カラオケ端末装置」に送出してコンテンツである「カラオケデータ」を再生するものであって、引用発明の「カラオケ演奏装置」、「カラオケデータ」及び「携帯電話機」は本願補正後発明の「コンテンツ再生装置」、「コンテンツ」及び「遠隔制御装置」に相当することから、引用発明と本願補正後発明は「所定のコンテンツ再生装置を遠隔制御する遠隔制御装置」である点で一致する。
　
　引用発明の「楽曲ＩＤに対応するタイトル名」はコンテンツである「カラオケデータ」がいずれの楽曲であるかを利用者に示すものであるが、本願補正後発明の「コンテンツを紹介する紹介のデータ」について、本願の明細書の段落【００６４】に「このカラオケシステム１では、さらにこのようなコンテンツを紹介する紹介のデータであり、コンテンツを直接特定する各コンテンツの曲名と、コンテンツを間接的に特定可能な歌手名、コンテンツの一部の音楽のデータ、歌手の画像データ等とによるコンテンツの選択に役立つデータとが歌本のデータＤＵ１としてプロダクション端末１１から配信センター３のセンター端末１２に供給され、歌本データＤＵとして歌本サーバー１４に記録されて保持される。」と記載があるように、当該「コンテンツを紹介する紹介のデータ」には「各コンテンツの曲名」が含まれることから、引用発明の「楽曲ＩＤに対応するタイトル名」は本願補正後発明の「コンテンツを紹介する紹介のデータ」に相当すると言える。
　そして、引用発明の「楽曲ＩＤ」は「カラオケデータ」を特定するものであることから、引用発明の「楽曲ＩＤ」は本願補正後発明の「コンテンツ特定用データ」に相当することが明らかである。
　また、引用発明の「ホスト装置」は「楽曲ＩＤごとの楽曲名、歌手名、作曲者名などを記載した楽曲説明データ」を「ＷＷＷサーバ」に対して伝達するものであると共に、引用発明の「ＷＷＷサーバ」は当該伝達された「楽曲説明データ」を「携帯電話機」に送出するものであって、当該「楽曲説明データ」を取得する手段及び記録保持する手段を当然備えるものであると言える。
　したがって、引用発明の「ホスト装置」及び「ＷＷＷサーバ」は、両者が協働することによって、「コンテンツを紹介する紹介のデータ」と「コンテンツ特定用データ」を提供する本願補正後発明の「所定のデータ提供手段」の動作機能を実現すると共に、「コンテンツを紹介する紹介のデータ」と「コンテンツ特定用データ」を取得する「データ取得手段」及び「コンテンツを紹介する紹介のデータ」と「コンテンツ特定用データ」を記録して保持する「データ記録手段」とを備えるものであると言える。
　
　引用発明は「楽曲ＩＤが付帯した各タイトル名を所定の規則で並べた一覧リスト」「を受領して、これを表示手段に表示し、」「その表示中から利用者が所定の操作入力により特定したタイトル名と楽曲ＩＤを含んだ無線のリクエスト信号をカラオケ演奏端末に向けて送出する」もの、すなわち、「タイトル名」によって「カラオケ演奏端末」で再生可能な「カラオケデータ」の「一覧リスト」を表示する「表示手段」を備えるものであることから、引用発明と本願補正後発明とは「前記紹介のデータに基づいて、前記コンテンツ再生装置で再生可能な前記コンテンツの一覧を表示する表示手段」を備える点で一致する。
　また、引用発明は「操作入力」によって再生する「カラオケデータ」の選択がなされるものであることから、引用発明は本願補正後発明の「前記表示手段の表示における選択により、所望するコンテンツの選択を受け付けるコンテンツ選択手段」を当然備えるものであると言える。
　そして、引用発明は「タイトル名と楽曲ＩＤを含んだ無線のリクエスト信号」を送出するものであって、当該「無線のリクエスト信号」は本願補正後発明の「遠隔制御信号」に相当することが明らかであるので、引用発明は補願補正後発明の「前記コンテンツ選択手段により選択に応じて、対応する前記コンテンツ特定用データにより前記コンテンツ再生装置に遠隔制御信号を送出する遠隔制御手段」を当然備えるものであると言える。
　
　引用発明の「ＷＷＷサーバ」は「携帯端末機」に「楽曲ＩＤが付帯した各タイトル名を所定の規則で並べた一覧リスト」を送出するものであって、「カラオケデータ」の選択に役立つ本願補正後発明の「紹介のデータ」に相当する「タイトル名」の選択がなされ、当該「タイトル名」に本願補正後発明の「コンテンツ特定用データ」に相当する「楽曲ＩＤ」を付加して所定のフォーマットを有し、ファイル化された「一覧リスト」を作成するものであるので、引用発明と本願補正後発明とは、「前記紹介のデータ及び前記コンテンツ特定用データは、前記所定のデータ提供手段において、コンテンツの選択に役立つデータから必要な各データを抜き出し、前記コンテンツ特定用データを付加して所定フォーマットによりファイル化することによって作成される」点で一致する。
　
　したがって、引用発明における構成要素を本願補正後発明において用いられている用語に置き換えれば、本願補正後発明と引用発明とは以下の点で一致、あるいは相違する。
　
［一致点］
（キ）所定のコンテンツ再生装置を遠隔制御する遠隔制御装置において、
　コンテンツを紹介する紹介のデータに基づいて、前記コンテンツ再生装置で再生可能な前記コンテンツの一覧を表示する表示手段と、
　前記表示手段の表示における選択により、所望するコンテンツの選択を受け付けるコンテンツ選択手段と、
　前記コンテンツ選択手段による選択に応じて、対応するコンテンツ特定用データにより前記コンテンツ再生装置に遠隔制御信号を送出する遠隔制御手段と
　を備え、
　前記紹介のデータ及び前記コンテンツ特定用データは、
　所定のデータ提供手段において、コンテンツの選択に役立つデータから必要な各データを抜き出し、前記コンテンツ特定用データを付加して所定フォーマットによりファイル化することによって作成されることを特徴とする遠隔制御装置。
　
［相違点］
（ク）「コンテンツを紹介する紹介のデータ」及び「コンテンツ特定用データ」を取得し、記録して保持する「データ取得手段」及び「データ記録手段」が設けられる装置部位構成について、本願補正後発明は「遠隔制御装置」側に設けるものであるのに対し、引用発明は「ホスト装置」及び「ＷＷＷサーバ」側に設けて「携帯電話機」側に設けていない点。
　
４．相違点の判断
　
　相違点（ク）について検討する。
　
　一般にコンテンツ再生装置を遠隔制御する遠隔制御装置の技術分野において、コンテンツに関連したデータを取得し、記録して保持する手段を遠隔制御装置側に設けることは、原査定の拒絶の理由で引用された引用刊行物２（特開２０００−１３７０７号公報）にあるように周知慣用された技術にすぎず、引用発明に上記周知慣用された技術を適用して、「データ取得手段」と「データ記録手段」とを「遠隔制御装置」側に設けることによって本願補正後発明の構成とすることは、当業者にとって想到困難な事項ではない。
　
　そして、当該相違点（ク）を判断してみても、本願補正後発明が格別顕著な構成であり、格別顕著な効果を奏するものであるということはできないから、本願補正後発明は、引用刊行物１に記載された発明及び周知慣用技術に基づいて、当業者が容易に発明することができたものであって、特許法第２９条第２項の規定により、特許出願の際独立して特許を受けることができたものではない。
　
５．補正却下の［理由］についての結び
　
　したがって、本件補正は、平成１８年法律第５５号改正附則第３項第１項によりなお従前の例によるとされる同法により改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
　
１．本願発明の認定
　
　平成２２年１１月２２日付けの手続補正は上記のとおり却下されたので、本願の各請求項に係る発明は、平成２２年１月１９日付け手続補正書により補正された明細書及び図面の記載からみて、その特許請求の範囲の請求項１から請求項１２までに記載した事項により特定されるとおりのものであると認められるところ、そのうち、請求項１に係る発明は、次のとおりである。
　
【請求項１】
　所定のコンテンツ再生装置を遠隔制御する遠隔制御装置において、
　前記コンテンツ再生装置で再生可能な各コンテンツについて、所定のデータ提供手段より、少なくとも前記コンテンツを紹介する紹介のデータと、各コンテンツの再生を指示する遠隔制御において各コンテンツを特定するコンテンツ特定用データとを取得するデータ取得手段と、
　前記紹介のデータ及び前記コンテンツ特定用データを記録して保持するデータ記録手段と、
　前記データ記録手段に記録した前記紹介のデータに基づいて、前記コンテンツ再生装置で再生可能な前記コンテンツの一覧を表示する表示手段と、
　前記表示手段の表示における選択により、所望するコンテンツの選択を受け付けるコンテンツ選択手段と、
　前記コンテンツ選択手段による選択に応じて、対応する前記コンテンツ特定用データにより前記コンテンツ再生装置に遠隔制御信号を送出する遠隔制御手段と
　を備えることを特徴とする遠隔制御装置。
　
２．引用刊行物に記載の発明
　
　原査定の拒絶理由に引用された刊行物１および、その記載事項は、前記「第２における［理由］の２．」に記載したとおりである。
　
３．対比・判断
　
　本願請求項１に係る発明は、前記「第２における［理由］の１．」で検討した本願補正後発明における「前記所定のデータ提供手段において、コンテンツの選択に役立つデータから必要な各データを抜き出し、前記コンテンツ特定用データを付加して所定フォーマットによりファイル化することによって作成される」との記載を省いたものである。
　そうすると、本願請求項１に係る発明の構成要件を全て含み、さら他の構成要件を付加したものに相当する本願補正後発明が、前記「第２における［理由］の４．」に記載したとおり、引用刊行物１に記載された発明及び周知慣用された技術に基づいて、当業者が容易に発明をすることができたものであるから、本願請求項１に係る発明も、同様の理由により、引用刊行物１に記載された発明及び周知慣用された技術に基づいて、当業者が容易に発明をすることができたものである。
　
４．むすび
　
　したがって、本願請求項１に係る発明は、引用刊行物１に記載された発明及び周知慣用された技術に基づいて、当業者が容易に発明をすることができたものであるから、特許法第２９条第２項の規定により特許を受けることができない。
　
第４　まとめ
　
　以上のとおり、本願請求項１に係る発明は、引用刊行物１に記載された発明及び周知慣用された技術に基づいて、当業者が容易に発明をすることができたことにより、特許法第２９条第２項の規定によって特許を受けることができないものであるから、本願は拒絶すべきものである。
　したがって、原査定を取り消す。本願は特許をすべきものでるとの審決を求める、という本件審判請求の趣旨は認められない。
　
　よって、結論のとおり審決する。